(57)【特許請求の範囲】
【請求項１】
貯氷庫等の前面において開閉自在にスライドする扉本体(40)と、前記扉本体(40)を摺動自在に案内保持するガイド溝(27,27)を備えるバックパネル(24)と、前記バックパネル(24)の前面に対し前記扉本体(40)を保持するように着脱可能に取付けるフロントパネルアッセンブリ(22)とから構成した貯氷庫等の扉組立体において、
前記扉本体(40)は、裏面側が開口する箱状に成形した金属板からなる外装パネル(44)と、前記外装パネル(44)の裏面に装着される断熱部材(46)と、前記外装パネル(44)の内部に前記断熱部材(46)を密閉挾持する樹脂板からなるリバースカバー(48)とから構成され、
前記リバースカバー(48)は、表面側が開口する箱状に成形されて前記外装パネル(44)の上下左右の縁部を裏側から覆うように外装パネル(44)に固定されると共に、前記扉本体(40)がスライドする際には、該リバースカバー(48)の両側縁部が前記ガイド溝(27,27)を摺動し、
前記リバースカバー(48)の前端外周縁部に、外装パネル(44)の表面から僅かに前方に突出するリム部(50)を形成した
ことを特徴とする貯氷庫等の扉組立体。
【請求項２】
前記リバースカバー(48)における両側縁部の上下に、前記ガイド溝(27,27)に設けた係止部材(34a,34b)と係合する凹部(42a,42b)と、前記両側縁部の長手方向に部分的に隆起されてガイド溝(27,27)に対する摺動面となる突出部(54)とを、一体成形により形成した請求項１記載の貯氷庫等の扉組立体。
【請求項３】
前記扉本体(40)の上縁部を形成する左右の端部には、外装パネル(44)と断熱部材(46)との間に、ウエイト(32)とのバランス下に扉本体(40)を吊り下げるためのワイヤ(29)を結合するブラケット(45)をそれぞれ設けてなる請求項１または２記載の貯氷庫等の扉組立体。
【請求項４】
前記ガイド溝(27)に設ける係止部材(34a,34b)は、ガイド溝(27)の上下位置において弾力的に突出するばね片により構成され、扉本体(40)の開閉位置においてそれぞれ扉本体(40)にブレーキ作用を生じながらスライドして扉本体(40)の前記凹部(42a,42b)に係合し、扉本体(40)の開閉状態をそれぞれ保持するよう構成してなる請求項１〜３の何れか一項に記載の貯氷庫等の扉組立体。
【発明の詳細な説明】
【０００１】
【発明の属する技術分野】
本発明は、自動製氷機の貯氷庫や冷蔵庫等に設けられる扉組立体に関し、特に上下スライド式扉の開閉操作を円滑に行なうと共に、外気と庫内と露付き現象の温度差に基づく扉表面への露付きによる弊害を防止し得るように構成した貯氷庫等の扉組立体に関するものである。
【０００２】
【従来の技術】
一般に、自動製氷機の貯氷庫や冷蔵庫等においては、庫内に貯留された角氷やその他の物品を随時取出すことができるように、それぞれ開閉自在な扉が設けられている。そして、この種の扉は、外気との遮断を有効に行うために、扉本体の構造のみならず、その周囲部材を含めて断熱構造を採用して組付けられる、多数の部材からなる扉組立体として構成されている。
【０００３】
図５は、典型的な従来の自動製氷機の貯氷庫の扉本体の構成を示すものである。図５に示す扉本体１０は、剛性の高い、すなわち衝撃強度の高い樹脂材料、例えばポリカーボネート樹脂(ＰＣ)やポリエチレンフタレート樹脂(ＰＥＴ)を使用し、その板厚が２５ｍｍ程度の厚い物を、所定の寸法に切断して構成されるものである。
【０００４】
図５に示す扉本体１０は、上下スライド式扉として構成されるものであり、扉本体１０の両側縁部を扉組立体(図示せず)に設けたガイド溝に密着嵌合させて、上下方向に摺動させて開閉動作を行なうように組立てられる。このような扉本体１０の開閉動作に際して、扉本体１０を上方へ移動(開放位置)させた場合、次いで下方へ移動(閉塞位置)させた場合において、それぞれ扉本体１０の位置を固定するための係止部材と係合するための凹部１２ａ,１２ｂがそれぞれ切削加工されている。
【０００５】
【発明が解決しようとする課題】
このように構成された従来の扉本体１０は、熱電導率の低い樹脂材料で形成されているものではあるが、外気と庫内温度との差により表面に露付きが発生し、この露が床に滴下したり扉開閉時に飛散して作業者に掛かる難点が指摘される。なお、扉本体１０の厚み寸法を大きくして断熱性を向上することで露付きを防止することは可能であるが、この場合には扉本体１０の重量が増大する不都合を生ずる。
【０００６】
また、前記扉本体１０は、樹脂材料を切断した端面が鋸歯による粗面を形成し、ガイド溝との接触に際して生じる摩擦抵抗が大きくなる難点がある。このため、前記樹脂材料の切断した端面を滑らかに仕上げる必要があるが、その作業には著しく手間と時間とを要するため、量産化にはきわめて不都合となる。
【０００７】
なお、従来の台下収納冷蔵庫等においては、一般に横スライド式扉が採用されている。この場合、扉本体には、ガラス板を使用し、その周囲４辺に樹脂材料からなる枠部材を装着した構成からなるものが実施されている。しかしながら、この種の扉本体は、樹脂材料による摩擦抵抗の低減は殆ど期待することができず、またガラス板による露付き現象が増大して、外観的な体裁を悪くするばかりでなく、水滴の飛散による弊害も増大する等の難点がある。
【０００８】
また、従来の冷蔵庫等の扉本体の構造として、前後において結合する金属板また樹脂板からなる中空の扉本体を形成し、前記中空部内に発泡断熱材を充填して、外気と庫内との温度差に基づく扉表面への露付き現象を有効に防止し得るように構成したものも種々提案されている。しかしながら、これらの扉本体の構造においては、前述したような上下スライド式扉や横スライド式扉として採用することは全く考慮されておらず、従ってスライド操作に際しての摩擦抵抗の低減等についても何等検討されていない。
【０００９】
【発明の目的】
本発明は、従来の技術に係る扉組立体に内在している前記欠点に鑑み、これを好適に解決するべく提案されたものであって、部品点数を少なくして簡単な構成とし、断熱効果や露付き防止効果および外部に対する庫内の騒音防止効果に優れ、しかも庫内への水滴の混入を防止すると共に、錆および雑菌の発生を有効に防止して衛生的にも優れ、量産化に適した構成からなる貯氷庫等の扉組立体を提供することを目的とする。
【００１０】
【課題を解決するための手段】
前記課題を解決し、所期の目的を達成するため、本発明に係る貯蔵庫等の扉組立体は、
貯氷庫等の前面において開閉自在にスライドする扉本体と、前記扉本体を摺動自在に案内保持するガイド溝を備えるバックパネルと、前記バックパネルの前面に対し前記扉本体を保持するように着脱可能に取付けるフロントパネルアッセンブリとから構成した貯氷庫等の扉組立体において、
前記扉本体は、裏面側が開口する箱状に成形した金属板からなる外装パネルと、前記外装パネルの裏面に装着される断熱部材と、前記外装パネルの内部に前記断熱部材を密閉挾持する樹脂板からなるリバースカバーとから構成され、
前記リバースカバーは、表面側が開口する箱状に成形されて前記外装パネルの上下左右の縁部を裏側から覆うように外装パネルに固定されると共に、前記扉本体がスライドする際には、該リバースカバーの両側縁部が前記ガイド溝を摺動し、
前記リバースカバーの前端外周縁部に、外装パネルの表面から僅かに前方に突出するリム部を形成したことを特徴とする。
【００１１】
【発明の実施の形態】
次に、本発明に係る貯氷庫等の扉組立体の実施例につき、添付図面を参照しながら以下詳細に説明する。
【００１２】
図１は、本発明を自動製氷機等の貯氷庫扉に適用した場合における、扉組立体の一実施例を示すものである。すなわち、図１は、貯氷庫扉としての扉組立体の構成を示す、各構成部材の分解斜視図である。本実施例の扉組立体２０は、複数の部材からなるフロントパネルアッセンブリ２２と、扉本体４０およびバックパネル２４を備えた基本構成を有している。
【００１３】
前記フロントパネルアッセンブリ２２は、上部フロントパネル２１ａ、下部フロントパネル２１ｂおよび左右対称に形成される左右フロントパネル２１ｃ,２１ｄとから構成され、前記バックパネル２４との間に扉本体４０を取外し可能に挾持した構成からなる。
【００１４】
前記バックパネル２４は、下部に開口部２６が設けられると共に、両側内部は前記扉本体４０を嵌合してその上下方向へスライド可能に案内するそれぞれ対称に形成されるガイド溝２７が設けられている。また、前記バックパネル２４の上部パネル内面には、所要の空間を保持するケース部２８が設けられると共に、前記バックパネル２４の頂部に、前記扉本体４０を一端において吊り下げてウエイトとのバランス下に上下方向への開閉を可能とする一対のワイヤ２９をそれぞれ巻き掛けるプーリ３０を固定するブラケット３１が取付けられている。なお、参照符号３２は、前記一対のワイヤ２９の他端に結合され、前記ケース部２８内に上下移動可能に収納されるウエイトを示す。
【００１５】
また、前記バックパネル２４のガイド溝２７には、その上方位置と下方位置とにおいて、ガイド溝２７の内方に弾力的に突出するそれぞれ左右一対の係止部材３４ａ,３４ｂが設けられる。そして、前記ガイド溝２７に嵌合する扉本体４０両側縁部において、その上方位置と下方位置とにそれぞれ凹部４２ａ,４２ｂが設けられ、前記扉本体４０の開放時には、前記係止部材３４ａと凹部４２ａを係合させて開放状態を保持することができると共に、前記扉本体４０の閉塞時には、前記係止部材３４ｂと凹部４２ｂを係合させて閉塞状態を保持することができるように構成される。なお、参照符号３５は前記バックパネル２４の上方に設けた扉本体４０のストッパを示すと共に、参照符号４１は前記扉本体４０の下縁部に設けた開閉操作用ハンドルを示す。
【００１６】
図２および図３は、本発明に係る扉組立体２０における扉本体４０の構成を示すものである。図２は、扉本体４０を分解して示す斜視図である。図２において、扉本体４０は、ステンレス等の金属板により裏面側が開口する箱状に成形した扉本体４０の表面を形成する外装パネル４４と、この外装パネル４４の裏面に装着するポリエチレン等の樹脂発泡体からなる断熱部材４６と、前記外装パネル４４の内部に前記断熱部材４６を密閉挾持し得るように扉本体４０の裏面を形成するＡＢＳ樹脂やＰＥＴ樹脂等の樹脂板により表面側が開口する箱状に成形したリバースカバー４８とから構成されている。
【００１７】
前記外装パネル４４の内部に断熱部材４６を装着するに際しては、扉本体４０の上縁部を形成する左右両端部に、扉本体４０をウエイト３２とのバランス下に吊り下げるワイヤを固定するためのブラケット４５を介挿する。この場合、前記ブラケット４５を外装パネル４４の一部に固定するため、前記外装パネル４４とこれに対応するブラケット４５とにそれぞれリベット挿通孔４４ａ,４５ａを穿設して適宜リベット４７により挿通固定する。一方、前記リバースカバー４８における上縁部においては、前記ブラケット４５を設けた位置に対応する部分に、図示のように隆起部４９を設けて、前記リベット４７の突出部分を囲繞するように形成する(図３(ｃ)参照)。そして、前記隆起部４９に対応位置するブラケット４５とこれに対応するリバースカバー４８とにそれぞれワイヤ２９を挿通し固定するためのワイヤ挿通孔４５ｂ,４８ｂを適宜穿設する。
【００１８】
また、前記外装パネル４４に対し前記リバースカバー４８を結合固定するため、外装パネル４４の適所に複数のリベット挿通孔４３ａをそれぞれ穿設すると共に、リバースカバー４８の対応する位置にも複数のリベット挿通孔４８ａをそれぞれ穿設して、適宜リベット４７により挿通固定するよう構成する。前記リバースカバー４８の上下両縁部および左右両側縁部は、前記外装パネル４４の対応する上下両縁部および左右両側縁部を覆うよう設けられると共に、その前端外周縁部には、外装パネル４４の表面から僅かに前方に突出するリム部５０が外方に延出するよう略直角に折曲形成されている。そして、このリム部５０により、扉本体４０が扉組立体２０を上下にスライドする際に、金属製の外装パネル４４が前記ガイド溝２７の内面に接触するのを防止するべく機能する。
【００１９】
前記リバースカバー４８の左右側縁部には、その上下２個所と中間部分に扁平な凹部４２ａ,４２ｂ,５２を設けて、長手方向に部分的に隆起させた複数(実施例では４箇所)の突出部５４を形成してある(図３(ａ),(ｂ)参照)。すなわち、この場合、前記部分的に隆起させた突出部５４が、前述した図１に示す扉組立体２０として扉本体４０を組付けた場合に、扉本体４０を上下方向にスライドさせる際の摺動面となる。
【００２０】
次に、図４(ａ),(ｂ)を参照して、前記構成からなる扉本体４０を、扉組立体２０として組付けた場合における、前記扉本体４０の開閉操作について説明する。
【００２１】
前述したように、扉本体４０の両側縁部には、凹部４２ａ,４２ｂ,５２と、部分的に隆起させた突出部５４とを設けたことにより、バックパネル２４のガイド溝２７に沿ってスライドさせる際に発生する摩擦抵抗を、著しく低減することができる。そして、前記ガイド溝２７の上下位置にそれぞれ弾力的に突出するように設けたばね片からなる係止部材３４ａ,３４ｂとの当接に際し、前記係止部材３４ａ,３４ｂがブレーキ作用を発揮させながらスライドし(図４(ａ)参照)、扉本体４０の凹部４２ａ,４２ｂへ確実に嵌入係合して(図４(ｂ)参照)、扉本体４０の開閉状態をそれぞれ適正に保持するように構成することができる。なお、図４(ｂ)に示すように、バックパネル２４の前記扉本体４０の下縁部が当接する部分には、適宜パッキン５５を配設することにより、扉本体４０による密閉性を高めて、外部への冷気漏れを防止するように構成されている。
【００２２】
以上、本発明の好適な実施例について説明したが、本発明は前記実施例に限定されることなく、各種自動製氷機の貯氷庫や各種冷蔵庫のスライド式扉として広範囲に応用することができるばかりでなく、本発明の精神を逸脱しない範囲内において、多くの設計変更が可能である。
【００２３】
【発明の効果】
以上に説明した如く、本発明に係る貯氷庫等の扉組立体は、その総重量を著しく軽量化することができると共に、庫内に面する部分はリバースカバーの一体成形体で構成されるため、複数部品による継ぎ目等がなく、断熱効果や露付き防止効果および外部に対する庫内の騒音防止効果に優れているばかりでなく、衛生的にも優れている。特に、前記リバースカバーの外周縁部にリム部を設けたことにより、扉本体の表面側から庫内へ水滴が混入するのを防止し得ると共に、金属板からなる外装パネルが直接ガイド溝に接触するのを防止することができ、錆および雑菌の発生を有効に防止することができる。
【００２４】
またリバースカバーの両側縁部に、上下にガイド溝に設けた係止部材と係合する凹部と、前記両側縁部の長手方向に部分的に隆起させた突出部とを、一体成形により形成した構成とすることにより、扉本体を上下方向にスライドさせる際に、摺動面における摩擦抵抗を著しく低減することができると共に、扉本体４０の開閉時におけるそれぞれの状態を保持する動作を円滑にかつ確実に達成することができる。更に、本発明に係る扉組立体の扉本体は部品点数が少なく簡単な構成であり、複雑な形状部分は樹脂材料による一体成形により簡便に製造することができ、量産化に適する等、多くの優れた利点を有する。
【図面の簡単な説明】
【図１】  本発明に係る貯氷庫等の扉組立体の一実施例を示す扉組立体の組立て状態を示す一部切欠き斜視図である。
【図２】  図１における扉組立体の扉本体を分解した斜視図である。
【図３】  (ａ)は扉組立体におけるリバースカバーの突出部で横断した要部断面図であり、(ｂ)は扉組立体におけるリバースカバーの凹部で横断した要部断面図であり、(ｃ)は扉組立体の要部正面図である。
【図４】  図１に示す組立て状態における扉組立体を、開閉位置でそれぞれ係止するための係止手段を示すものであって、(ａ)は係止手段のブレーキ作用を示す説明図であり、(ｂ)は係止手段による係止状態を示す説明図である。
【図５】  従来の貯氷庫等の扉組立体の典型的な扉本体を示す正面図である。
【符号の説明】
２２ フロントパネルアッセンブリ，２４ バックパネル，２７ ガイド溝
２９ ワイヤ，４５ ブラケット，３２ ウエイト，３４ａ、３４ｂ 係止部材
４０ 扉本体，４２ａ、４２ｂ 凹部，４４ 外装パネル，４６ 断熱部材
４８ リバースカバー，５０ リム部，５２ 凹部，５４ 突出部
【図１】
0003911384.tif 000002
【図２】
0003911384.tif 000003
【図３】
0003911384.tif 000004
【図４】
0003911384.tif 000005
【図５】
0003911384.tif 000006